(57)【要約】      （修正有）【課題】ニーズに応じたサイズ、棚板数を構成し、取外し及び組立ての利便性を高める組立式収納棚を提供する。【解決手段】フレーム１には、二つの垂直部１１と、垂直部１１に連結する水平部１２と、垂直部１１に連結する複数の支持棒１３を設け、垂直部１１の外側縁には対応する貫通孔を備え、支持棒１３の両側にはそれぞれ第一固定孔１３１と第二固定孔１３２を設ける。棚板３の両側にはそれぞれ、第一固定孔１３１と第二固定孔１３２に対応させるフラット体３３、３４を設け、フラット体３３、３４には垂直の掛止鉤を設け、フレーム１に対して交差状の定位棒４を垂直部１１の貫通孔に挿着して定位させた後、棚板３の掛止鉤を支持棒１３の第一固定孔１３１と第二固定孔１３２に嵌入することで、棚板３を垂直に延長配列してニーズに応じた棚板数の収納棚を構成し、収納棚の取外し及び組立ての利便性を高める。【選択図】図１
0003180204.tif 000002
【実用新案登録請求の範囲】
【請求項１】
フレームと嵌合部品と棚板とを含む組立式収納棚において、
前記フレームには、二つの垂直部と、垂直部に連結する水平部と、垂直部に連結する複数の支持棒を設け、垂直部の外側縁には対応する複数の貫通孔を備え、貫通孔に嵌合部品を嵌設し、支持棒の両側にはそれぞれ第一固定孔と第二固定孔を設け、
前記棚板の両側にはそれぞれ、支持棒の第一固定孔と第二固定孔に対応させるフラット体を設け、
フレームに対して交差状の定位棒を垂直部の嵌合部品に挿着して二つのフレームを緊密に定位させた後、棚板の掛止鉤を支持棒の第一固定孔と第二固定孔に嵌入することで、棚板を垂直に延長配列してニーズに応じた棚板数の収納棚を構成し、これにより、収納棚の取外し及び組立ての利便性を高めることを特徴とする組立式収納棚。
【請求項２】
前記嵌合部品は、結合部と制御部を含み、制御部の中心には定位孔を設け、結合部をフレームの垂直部の貫通孔に嵌着させて定位させ、制御部を垂直部の外側縁に露出させることを特徴とする請求項１に記載の組立式収納棚。
【請求項３】
前記棚板両側のフラット体に設けた掛止鉤は、フラット体をＵ字形の穴にカットして引掛片を形成し、さらに引掛片を下向きに垂直に屈曲させて構成されることを特徴とする請求項１に記載の組立式収納棚。
【請求項４】
前記棚板は、棚板フレームと棚板フレームに設けたネットを含み、フラット体は棚板フレームの両側に設けることを特徴とする請求項１に記載の組立式収納棚。
【考案の詳細な説明】
【技術分野】
【０００１】
本考案は、組立式収納棚に関し、特に、ニーズに応じたサイズ及び棚板数を構成し、取外し及び組立てがさらに便利な収納棚に係る。
【背景技術】
【０００２】
一般の物品を置ける多層の収納棚の構造は、一定の棚板数とサイズが設計されており、取外し及び組立てが可能な収納棚もある。しかし、比較的便利、尚且つ搬送や収納に利便を図るものであっても、公知の収納棚の施工操作のほとんどが螺着方式であるため利便性に欠け、収納物品の需要が増えた時には、消費者は同様或いは異なる収納棚を買い足して併せて使用するしかなく、元来の収納棚を垂直或いは水平に延長使用はできず、使用上の面倒を引き起こし、経済的な負担も増える。そこで、出願人は前述の問題点に鑑み、本業界に長年従事してきた経験に基いて研究及び実験を積み重ね、ついに、組立て、取外しの利便性を高め、サイズを延長し棚板数を変えられる収組立式収納棚を生み出した。
【考案の概要】
【考案が解決しようとする課題】
【０００３】
本考案の主な目的は、収納棚を簡単に操作することでニーズに応じたサイズ及び棚板数に組み合わせられ、尚且つ取外し及び組立てを便利に行え、収納棚の実用価値を高められる組立式収納棚の提供にある。
【課題を解決するための手段】
【０００４】
前記組立式収納棚は、複数のフレームと棚板とを含む。その内、フレームには二つの垂直部と、垂直部に連結する水平部と、垂直部に連結する複数の支持棒を設ける。垂直部の外側縁には対応する貫通孔を設け、支持棒の両側にはそれぞれ第一固定孔と第二固定孔を設ける。棚板の両側にはそれぞれ、第一固定孔と第二固定孔に対応させるフラット体を設け、フラット体には垂直の掛止鉤を設ける。フレームに対して交差状の定位棒を垂直部の貫通孔に挿着して定位させた後、棚板の掛止鉤を支持棒の第一固定孔と第二固定孔に嵌入することで、棚板を垂直或いは水平に延長配列してニーズに応じたサイズ及び棚板数の収納棚を構成し、これにより、収納棚の取外し及び組立ての利便性を高めることができる。
【０００５】
前記組立式収納棚において、フレームの垂直部の貫通孔にそれぞれ嵌合部品を嵌設することにより、嵌合部品に嵌入する定位棒は緊密定位を形成する。
【考案の効果】
【０００６】
本考案の組立式収納棚は、収納棚を簡単に操作することでニーズに応じたサイズ及び棚板数に組み合わせられ、尚且つ取外し及び組立てを便利に行え、収納棚の実用価値を高める効果を有する。
【図面の簡単な説明】
【０００７】
【図１】本考案の組立図である。
【図２】本考案の棚板と支持棒の組立実施例図である。
【図３】本考案の定位棒の組立実施例についての立体図である。
【図４】本考案を水平延長して組立てる際の実施例図である。
【図５】本考案を水平延長して組立てる際の実施例図である。
【図６】本考案の水平延長して組立てた後の立体図である。
【考案を実施するための形態】
【０００８】
図１、図２、及び図３には本考案の組立図、棚板と支持棒の組立実施例図、定位棒の組立実施例についての立体図を示す。図に示すとおり、本考案は主に、複数のフレーム１、嵌合部品２、及び棚板３を含む。その内、フレーム１には二つの垂直部１１と、垂直部１１に連結する水平部１２と、垂直部１１に連結する複数の支持棒１３を設ける。垂直部１１の外側縁には対応する複数の貫通孔１１１（本実施例では対称となる四つの貫通孔１１１とした）を設け、支持棒１３の両側にはそれぞれ第一固定孔１３１と第二固定孔１３２を設ける。
【０００９】
前記嵌合部品２はそれぞれ、垂直部１１の貫通孔１１１に嵌着し、嵌合部品２は適当な長さの結合部２１と径の比較的大きい制御部２２を含む。制御部２２の中心には定位孔２２１を設け、結合部２１を貫通孔１１１に嵌着することにより定位し、制御部２２を垂直部１１の外側縁に露出させる。
【００１０】
棚板３は、棚板フレーム３１とネット３２を含む。棚板フレーム３１の両側にはそれぞれ、支持棒１３の第一固定孔１３１と第二固定孔１３２に対応させるフラット体３３とフラット体３４（その内一方側のフラット体３３は第一固定孔１３１に対応し、もう一方側のフラット体３４は第二固定孔１３２に対応する）を設け、フラット体３３とフラット体３４にはそれぞれ垂直の掛止鉤３３１と掛止鉤３４１を設ける。本実施例において、掛止鉤３３１と掛止鉤３４１はフラット体３３とフラット体３４をＵ字形の穴にカットして引掛片を形成し、さらに引掛片を下向きに垂直に屈曲させたものである。
【００１１】
前記構成要素を組み合わせ、フレーム１に対して交差状の定位棒４を垂直部１１の嵌合部品２の定位孔２２１に挿着することにより二つのフレーム１を緊密に定位させた後、棚板３の掛止鉤３３１と掛止鉤３４１を支持棒１３の第一固定孔１３１と第二固定孔１３２に嵌入することで、棚板３を垂直に延長配列してニーズに応じた棚板数の収納棚を構成し、これにより、収納棚の取外し及び組立ての利便性を高めることができる。
【００１２】
図４及び図５には本考案を水平延長して組立てる際の実施例図を示す。図に示すとおり、本考案を組み立てる場合は、フレーム１を適当に増加することができる。その内、棚板３の内の一方側のフラット体３３は、フレーム１の支持棒１３の第一固定孔１３１に対応し、もう一方側のフラット体３４は、第二固定孔１３２に対応する。これにより、複数の棚板３を同じ方向の水平に併せて結合でき、フラット体３３の掛止鉤３３１を第一固定孔１３１に嵌入し、フラット体３４の掛止鉤３４１を第二固定孔１３２に嵌入することで、棚板３の水平延長を構成する。
【００１３】
図６には本考案を水平延長して組立てた後の立体図を示し、図４と図５を併せて参照する。図に示すとおり、本考案を水平延長する場合は複数のフレーム１を用いる。フレーム１に交差状の定位棒４を取り付け、適当な数量の棚板３のフラット体３３の掛止鉤３３１とフラット体３４の掛止鉤３４１をフレーム１の支持棒１３の第一固定孔１３１と第二固定孔１３２に嵌入することにより棚板３を垂直配列し、両側方向に水平延長することも可能である。こうして、収納棚をニーズに応じたサイズ及び棚板数に延長させ、簡単な操作で組立てて、収納空間を増やすことができる。
【００１４】
前述したとおり、本考案は、固定孔を備えたフレームと、掛止鉤を組み合わせた嵌合部品と、定位させるための定位棒とにより構成される組立式収納棚である。本収納棚は、簡単な操作によって、ニーズに応じたサイズ及び棚板数を組み合わせられ、尚且つ取外し及び組立てを便利に行え、収納棚の実用価値を高めるものである。
【００１５】
以上述べたことは、本考案の実施例にすぎず、本考案の実施の範囲を限定するものではなく、本考案の実用新案登録請求の範囲に基づきなし得る同等の変化と修飾は、いずれも本考案の実用新案登録請求範囲のカバーする範囲内に属するものとする。
【符号の説明】
【００１６】
１            フレーム
１１            垂直部
１１１            貫通孔
１２            水平部
１３            支持棒
１３１            第一固定孔
１３２            第二固定孔
２            嵌合部品
２１            結合部
２２            制御部
２２１            定位孔
３            棚板
３１            棚板フレーム
３２            ネット
３３            フラット体
３３１            掛止鉤
３４            フラット体
３４１            掛止鉤
４            定位棒
【図１】
0003180204.tif 000003
【図２】
0003180204.tif 000004
【図３】
0003180204.tif 000005
【図４】
0003180204.tif 000006
【図５】
0003180204.tif 000007
【図６】
0003180204.tif 000008